(57)【特許請求の範囲】
【請求項１】
操作箱本体の表側に配置した扉の内側に形成した収納部に起動スイッチを設けると共に、前記起動スイッチの外側を覆って着脱自在に保護カバーを配置し、前記扉を開いて前記起動スイッチを操作した場合に起動信号を制御盤に送信して消火ガスを放出させるガス系消火設備の操作箱に於いて、
前記扉を開いた状態で先端を前記起動スイッチと前記保護カバーの間の隙間に挿入して後端を所定方向に回動操作することにより、前記起動スイッチを動作させる起動操作治具を備えたことを特徴とするガス系消火設備の操作箱。
【請求項２】
請求項１記載のガス系消火設備の操作箱に於いて、前記起動操作治具は、後端側に操作レバー部を備え、先端側に前記操作レバー部に対し略Ｌ形に屈曲した押圧レバー部を一体に形成したプレート状の部材としたことを特徴とするガス系消火設備の操作箱。
【請求項３】
請求項２記載のガス系消火設備の操作箱に於いて、前記起動操作治具の先端側の前記押圧レバー部を、前記保護カバーと収納部底部との間から前記起動スイッチと前記保護カバーの間の隙間に挿入可能な湾曲形状としたことを特徴とするガス系消火設備の操作箱。
【請求項４】
請求項２記載のガス系消火設備の操作箱に於いて、前記扉は、前記保護カバーを配置した前記起動スイッチの収納位置から外れた位置に開口を形成しており、
前記起動操作治具の押圧レバー部の長さを、前記扉を閉じた状態での前記起動操作治具による操作ができないように、前記扉の開口から前記起動スイッチの操作部位までの長さより短くしたことを特徴とするガス系消火設備の操作箱。
【請求項５】
請求項１記載のガス系消火設備の操作箱に於いて、前記起動スイッチと前記保護カバーの間に対する前記起動操作治具の挿入により動作して点検検出信号を前記制御盤に送信して所定の点検モードを設定させる点検検出スイッチを設けたことを特徴とするガス系消火設備の操作箱。
【発明の詳細な説明】
【技術分野】
【０００１】
本発明は、複数の防護区画に二酸化炭素等の消火ガスを放出して火災を消火するガス系消火設備の操作箱に関する。
【背景技術】
【０００２】
従来、火災発生時に二酸化炭素やハロンガス等の消火ガスを放出して火災を消火するガス系消火設備は、水損や汚損を嫌う機器を設置している室内において、消火による機器損失を最小限に抑えつつ迅速な消火を行うことを可能とする。
【０００３】
このようなガス系消火設備は、制御盤に自動モードを設定していた場合には、防護区画に設置した２系統に接続された各火災感知器からの火災発報（２系統のＡＮＤ発報）があった場合に、ガス放出する起動条件が成立したと判断して所定時間のカウントダウンを開始し、カウントダウンが終了すると、制御盤から起動装置に起動信号を出力して動作し、起動装置から二酸化炭素等の開放ガスを防護区画に対応したガス供給配管に設けた選択弁に供給して開くと共に消火ガス貯蔵容器の栓を開け、噴射ヘッドから消火ガスを放出する。
【０００４】
また制御盤に手動モードを設定していた場合には、監視員が目視又は火災感知器の発報によって火災を発見し、防護区画に設置した操作箱の扉を開いて起動スイッチを押した場合にガス放出する起動条件が成立したと判断して制御盤がカウントダウンを開始し、カウントダウンが終了すると同様にして消火ガスを放出する。
【先行技術文献】
【特許文献】
【０００５】
【特許文献１】特開平６−０６２４３２号公報
【特許文献２】特開平１１−２４５８０９号公報
【発明の概要】
【発明が解決しようとする課題】
【０００６】
ところで、このような従来のガス系消火設備に設けた操作箱は、操作箱本体の前面に扉を設けて内部に押釦式の起動スイッチを収納しており、不用意な起動スイッチの操作を防ぐため、起動スイッチの外側を覆って透明樹脂製の保護カバーを配置し、起動スイッチを操作する場合には、扉を開き、保護カバーを押し破って操作することで消火ガスを放出させるようにしている。
【０００７】
なお、扉を開くと扉開検出スイッチが作動し、制御盤に扉開検出信号を送信して防護区画に設置しているスピーカから非常放送を開始させ、消火ガスの放出に備える。
【０００８】
また、ガス系消火設備は、定期的な点検を必要としており、操作箱を点検する場合には起動スイッチの点検操作を行う。この場合、操作箱の扉を開き、起動スイッチの前に配置している保護カバーを外して起動スイッチを点検のために操作し、点検操作が終わったらスイッチ保護プレートを元に戻すようにしており、起動スイッチを操作する点検作業に保護カバーを取外して元に戻す作業を必要とし、操作箱の点検に手間と時間がかかる問題がある。
【０００９】
本発明は、保護カバーの取外しを必要とすることなく、点検等の際に起動スイッチを簡単に操作可能とするガス系消火設備の操作箱を提供することを目的とする。
【課題を解決するための手段】
【００１０】
（ガス系消火設備の操作箱）
本発明は、操作箱本体の表側に配置した扉の内側に形成した収納部に起動スイッチを設けると共に、起動スイッチの外側を覆って着脱自在に保護カバーを配置し、扉を開いて起動スイッチを操作した場合に起動信号を制御盤に送信して消火ガスを放出させるガス系消火設備の操作箱に於いて、
扉を開いた状態で、先端を起動スイッチと保護カバーの間の隙間に挿入して、後端を所定方向に回動操作することにより、起動スイッチを動作させる起動操作治具を備えたことを特徴とする。
【００１１】
（起動操作治具の形状）
起動操作治具は、後端側に操作レバー部を備え、先端側に操作レバー部に対し略Ｌ形に屈曲した押圧レバー部を一体に形成したプレート状の部材とする。
【００１２】
（起動操作治具の押圧レバー部の形状）
起動操作治具の先端側の押圧レバー部を、保護カバーと収納部底部との間から起動スイッチと保護カバーの間の隙間に挿入可能な湾曲形状とする。
【００１３】
（起動操作治具の押圧レバー部の長さ）
扉は、保護カバーを配置した起動スイッチの収納位置から外れた位置に開口を形成しており、
起動操作治具の先端子側の押圧レバー部の長さを、扉を閉じた状態での起動操作治具による操作ができないように、扉の開口から記起動スイッチまでの長さより短くする。
【００１４】
（起動操作治具による点検検出）
起動スイッチと保護カバーの間に対する起動操作治具の挿入により動作して点検検出信号を制御盤に送信して所定の点検モードを設定させる点検検出スイッチを設ける。
【発明の効果】
【００１５】
（基本的な効果）
本発明は、操作箱本体の表側に配置した扉の内側に形成した収納部に起動スイッチを設けると共に、起動スイッチの外側を覆って着脱自在に保護カバーを配置し、扉を開いて起動スイッチを操作した場合に起動信号を制御盤に送信して消火ガスを放出させるガス系消火設備の操作箱に於いて、扉を開いた状態で、先端を起動スイッチと保護カバーの間の隙間に挿入して、後端を所定方向に回動操作することにより、起動スイッチを動作させる起動操作治具を備えるようにしたため、操作箱の起動スイッチを点検等のために操作する場合には、起動操作治具を準備し、扉を開いて起動操作治具の先端を起動スイッチと保護カバーとの間の隙間に挿入して後端側を回動操作することで、起動スイッチを起動操作治具の先端で押し込んで動作させることができ、保護カバーを取り外す必要がないため、操作箱における起動スイッチの操作が簡単且つ容易にでき、操作箱の点検を効率良く行うことを可能とする。
【００１６】
（起動操作治具の形状による効果）
また、起動操作治具は、後端側に操作レバー部を備え、先端側に操作レバー部に対し略Ｌ形に屈曲した押圧レバー部を一体に形成したプレート状の部材としたため、起動スイッチと保護カバーの狭い隙間に、起動操作治具の先端の押圧レバー部を確実に挿入し、後端の操作レバーを所定方向に回動操作することで、先端側の押圧レバーを回動して起動スイッチを確実に動作を可能とする。
【００１７】
（起動操作治具の押圧レバー部の形状による効果）
また、起動操作治具の先端側の押圧レバー部を、保護カバーと収納部底部との間から起動スイッチと保護カバーの間の隙間に挿入可能な湾曲形状としたため、起動操作治具の先端側を湾曲して押圧レバー部を、起動スイッチと保護カバーの間の狭い隙間に横方向から滑らかに挿入して、起動スイッチを確実に動作可能とする。
【００１８】
（起動操作治具の押圧レバー部の長さによる効果）
また、扉は、保護カバーを配置した起動スイッチの収納位置から外れた位置に開口を形成しており、起動操作治具の先端側の押圧レバー部の長さを、扉を閉じた状態での起動操作治具による操作ができないように、扉の開口から起動スイッチの操作部位までの長さより短くしたため、扉を閉じた状態で悪戯等により、関係者以外の者が起動操作治具を扉の開口から中に入れて起動スイッチを操作しようとしても、扉開口からでは起動操作治具の押圧レバー部は、起動スイッチに届かず、悪戯等による起動スイッチの操作を確実に防止可能とする。
【００１９】
（起動操作治具による点検検出の効果）
また、起動スイッチと保護カバーの間に対する起動操作治具の挿入により動作して点検検出信号を制御盤に送信して所定の点検モードを設定させる点検検出スイッチを設けるようにしたため、ガス系消火設備の点検を行う場合には、制御盤側でのソレノイド閉スイッチの操作等による点検により起動装置を誤動作しないようにする点検モードを設定して点検作業を行っているが、制御盤で点検に必要な操作を行っていなくとも、操作箱で起動スイッチを操作しようとして起動操作治具を挿入すると、点検検出信号が制御盤に送信され、点検に必要な動作状態が自動的に設定され、点検に伴い操作箱の起動スイッチを起動操作治具で操作しても、消火ガスの放出を確実に防止可能とする。
【図面の簡単な説明】
【００２０】
【図１】ガス系消火設備の全体構成を示した説明図
【図２】操作箱の外観を示した説明図
【図３】操作箱の扉を開いて内部を示した説明図
【図４】起動操作治具の実施形態を示した説明図
【図５】起動操作治具による起動スイッチの操作を示した説明図
【図６】起動操作治具による起動スイッチの操作を示した断面図
【図７】扉を閉じた状態で起動操作治具による起動スイッチの操作を示した説明図
【図８】起動操作治具の他の実施形態を示した説明図
【図９】図８の起動操作治具による起動スイッチの操作を示した断面図
【図１０】起動操作治具による起動スイッチの操作を検出する点検検出スイッチを設けた操作箱の実施形態を示した断面図
【図１１】ガス系消火設備のシステム構成の概略を示したブロック図
【図１２】制御盤の回線ユニットと操作箱の機能構成を示したブロック図
【発明を実施するための形態】
【００２１】
［ガス系消火設備の概要］
図１はガス系消火設備の全体構成図を示した説明図である。なお、図１の設備構成は一例であり、必要に応じて適宜の構成をとることができる。
【００２２】
図１に示すように、ガス系消火設備にはガス系の消火設備を一括制御する制御盤１０を設け、また防護区画Ａ，Ｂとなる各部屋の外に操作箱１２を設置している。操作箱１２は起動スイッチと起動スイッチを保護する扉を備え、手動モードを設定している場合、人が火災を発見したときには、扉を開けて起動スイッチを操作することにより制御盤１０に起動信号を送信し、消火剤としての消火ガスを放出させる。放出表示灯１５は監視区域内に消火ガスが放出されていることを表示し、室内に入らないことを知らせる。
【００２３】
噴射ヘッド１４は消火ガスを室内に放出する。スピーカ１３は消火ガスが放出されることを示す注意警報と退避警報を放送し、人が警戒区域内に存在する場合は直ちに避難することを促す。消火ガス貯蔵容器１６は消火ガスを貯蔵する。
【００２４】
本実施形態にあっては、複数の防護区画Ａ，Ｂについて火災想定を１箇所としており、このため消火ガス貯蔵容器１６は複数の防護区画Ａ，Ｂに対する共通設備として設けており、１防護区画の消火に必要な量の消火ガスを充填している。
【００２５】
起動装置１８は防護区画Ａ，Ｂに対応して設け、制御盤１０から消火ガス放出用の起動信号を受けて内蔵したソレノイドの通電により開弁して二酸化炭素などの開放ガスを放出し、開放ガスにより選択弁１７を開放させると共に消火ガス貯蔵容器１６の栓を開ける。選択弁１７は起動装置１８の起動による開放ガスを受けて開き、火災の生じた防護区画Ａ又はＢの噴射ヘッド１４に消火ガスを供給して噴射させる。
【００２６】
火災感知器１１は２系統の感知器回線で各防護区画Ａ，Ｂの火災を監視している。圧力スイッチ２１は消火貯蔵容器１６から消火ガスが放出されたことを検出し、制御盤１０に検出信号を送り、火災の発生した監視区域に対応した放出表示灯１５を点滅させる。ピストンレリーザ１９は消火ガスが部屋に放出されたとき消火ガスを室外に漏れないようにダンパーで排煙口を閉じる。閉止弁２３は消火ガス貯蔵容器１６からの消火ガスの供給を手動で閉止する。
【００２７】
このようなガス系消火設備において、制御盤１０に自動モードを設定していた場合には、２系統に接続された各火災感知器１１からの火災発報（２系統のＡＮＤ発報）があつた場合にガス放出の起動条件が成立したと判断して起動権を獲得し、所定時間のカウントダウンを開始すると共にスピーカ１３は消火ガスが放出されることを示す注意警報と退避警報を放送する。
【００２８】
制御盤１０及び操作箱１２には２桁表示の７セグメント表示器３４を設けており、通常はカウントダウン初期値として所定の秒数を表示しており、カウントダウンを開始すると、残り時間の秒数を順次表示し、カウントダウン終了で零秒を表示する。
【００２９】
制御盤１０のカウントダウンが終了すると、制御盤１０から起動装置１８にガス放出信号を出力して動作し、起動装置１８から二酸化炭素等の開放ガスを選択弁１７に供給して開くと共に消火ガス貯蔵容器１６の栓を開け、ガス供給配管を介して噴射ヘッド１４から火災検知した防護区画の室内に消火ガスを放出させる。
【００３０】
また制御盤１０に手動モードを設定していた場合には、監視員が目視又は火災感知器１１の発報によって例えば防護区画Ａの火災を発見し、防護区画Ａの外側に設置している操作箱１２の扉を開いて起動スイッチを押すことで起動信号を制御盤１０に送信し、制御盤１０はカウントダウンを開始すると共にスピーカ１３は消火ガスが放出されること示す注意警報と退避警報を放送し、カウントダウンが終了すると、自動モードの場合と同様にして防護区画の噴射ヘッド１４から消火ガスを放出させる。
【００３１】
［操作箱の構成］
図２は防護区画に設けた操作箱の外観を示した説明図である。図２に示すように、操作箱１２は、操作箱本体２０の表パネル２２に、操作箱１２の電源状態を示す電源灯２４、火災発生を示す火災灯２６、ガス放出動作が起動されたことを示す起動灯２８、ガス放出中を示す放出灯３０、消火ガスを放出させないための閉止弁が閉じているときに点滅する閉止弁閉表示灯３２、消火ガス放出前のカウントダウン時間等を表示する７セグメント表示器３４、自動モード又は手動モードのモード選択を行うためのキースイッチ３６、消火ガスの放出を非常停止するための非常停止スイッチ３８、手動モード運転時に点灯する手動モード表示灯３６ａ、自動モード運転時に点灯する自動モード表示灯３６ｂを設けている。
【００３２】
表パネル２２の下側には扉４０を設けている。扉４０は扉開口に対応した収納部４８の右側にヒンジ４２により開閉自在に設けており、扉４０の左側上部に開口４４を形成し、開口４４に指を入れて扉４０を開放可能としている。また扉４０に形成した開口４４に相対した収納部４８には非常電話機を接続する電話ジャック４６を設けている。
【００３３】
扉４０の表面には、操作箱１２の火災時における操作方法を表示しており、また、実際に設置した場合には、防止シール４５により封止している。
【００３４】
図３は操作箱の扉を開いて内部を示した説明図である。図３に示すように、操作箱１２は、扉４０を開いた際に露出する収納部４８に、消火ガスの放出を手動で操作するための起動スイッチ５０を設けている。起動スイッチ５０はその操作部位となる操作釦の外側を覆って保護カバー５４をビス止めにより着脱自在に配置している。保護カバー５４は合成樹脂製の透明なプレートであり、破線で示すように、押圧操作で保護カバー５４が割れて起動スイッチ５０を操作できるように、２重円とその間を放射状に結ぶ切溝を入れている。
【００３５】
また、収納部４８には、扉４０を磁気吸着により閉鎖状態に保持するスイッチ付きのマグネットキャッチ５３を設けており、マグネットキャッチ５３のスイッチを扉開検出スイッチ５５として使用している。
【００３６】
［起動操作治具による起動スイッチの操作］
（起動操作治具）
図４は起動操作治具の実施形態を示した説明図であり、図４（Ａ）に正面を示し、図４（Ｂ）に側面を示し、図４（Ｃ）に平面を示す。
【００３７】
図４に示すように、起動操作治具６０は、金属プレートで作られており、後端側にストレートな操作レバー部６２を備え、先端側に操作レバー部６２に対し略Ｌ形に屈曲した押圧レバー部６４を一体に形成している。また、操作レバー部６２の端部側には通し穴６８を形成し、制御盤等の所定の箇所に起動操作治具６０を掛けて収納できるようにしている。
【００３８】
押圧レバー部６４は下端のコーナー部から上向きに湾曲した後に先端側で下向きに湾曲した湾曲形状としている。
【００３９】
（起動操作治具による起動操作）
図５は起動操作治具による起動スイッチの操作を示した説明図、図６は起動操作治具による起動スイッチの操作を示した断面図である。
【００４０】
図５及び図６に示すように、ガス系消火設備の点検に伴い操作箱１２を点検する場合には、扉４０を開放し、この状態で起動操作治具６０の先端側の押圧レバー部６４を、保護カバー５４を取り付けているプレート支持部５６の左側の隙間５８から入れて、起動スイッチ５０の操作釦５０ａと保護カバー５４の間の隙間に挿入し、この状態で後端側の操作レバー部６２を図示で右回りに回動する操作を行う。
【００４１】
このような起動操作治具６０の操作により、先端側の押圧レバー部６４が起動スイッチ５０の操作釦５０ａを押込み、起動スイッチ５０がオンして起動信号を制御盤側に送信させる。
【００４２】
（扉を閉鎖した状態での起動操作治具による起動操作）
図７は扉を閉じた状態で起動操作治具による起動スイッチの操作を示した説明図である。
【００４３】
起動操作治具６０を用いた操作箱１２の起動スイッチ５０の起動操作は、点検時等に係員が行うことを予定しているが、制御盤側等に格納している起動操作治具６０を不正に入手した第三者が悪戯などで操作する恐れがある。この場合、扉４０を開くと、扉開検出スイッチ５５で扉開が検出されて非常放送が行われることから、図７に示すように、扉４０を閉じたまま、その開口４４から起動操作治具６０を入れて起動スイッチ５０を操作しようとすることが想定される。
【００４４】
このような悪戯による操作を防止するため、図４に示した起動操作治具６０の先端側の押圧レバー部６４の長さを、扉４０に形成した開口４４の右端から起動スイッチ５０の操作釦５０ａまでの長さより短くしている。
【００４５】
このため図７に示すように、扉４０の開口４４から起動操作治具６０の先端側の押圧レバー部６４を入れて起動スイッチ５０を操作しようとしても、扉４０に形成した開口４４の右端に起動操作治具６０の操作レバー部６２が当たってそれ以上入ることがなく、起動スイッチ５０の操作釦５０ａを操作することができない。
【００４６】
［起動操作治具の他の実施形態］
（起動操作治具）
図８は起動操作治具の他の実施形態を示した説明図であり、図８（Ａ）に斜視図を示し、図８（Ｂ）に平面図を示し、図８（Ｃ）に側面図を示す。
【００４７】
図８に示すように、本実施形態の起動操作治具６０ａは、金属プレートで作られており、後端側にストレートな操作レバー部６２ａを備え、先端側に操作レバー部６２ａに対し、操作箱１２の収納部４８の深さに相当する長さの中間レバー部６６ａを介して、略Ｌ形に屈曲した押圧レバー部６４ａを一体に形成している。
【００４８】
また、操作レバー部６２ａの端部側には通し穴６８ａを形成し、制御盤等の所定の箇所に起動操作治具６０ａを掛けて収納できるようにしている。更に、押圧レバー部６４ａは中間レバー部６６ａのコーナー部から上向きに湾曲した後に先端側で下向きに湾曲した湾曲形状としている。
【００４９】
（起動操作治具による起動操作）
図９は図８起動操作治具による起動スイッチの操作を示した断面図である。図９に示すように、ガス系消火設備の点検に伴い操作箱１２を点検する場合には、扉４０を開放し、この状態で起動操作治具６０ａの先端側の押圧レバー部６４ａを、保護カバー５４を取付けているプレート支持部５６の左側の隙間５８から起動スイッチ５０の操作釦５０ａと保護カバー５４の間の隙間に挿入し、この状態で後端側の操作レバー部６２ａを図示で右回りに回動する操作を行う。
【００５０】
このとき起動操作治具６０ａは、操作レバー部６２ａに対し、図示で左側に屈曲した中間レバー部６６ａを介して略Ｌ形に先端側の操作レバー部６４ａを設けているため、操作レバー部６４ａの下側を収納部４８の底面に当てて位置合わせした状態で、先端側の操作レバー部６４ａを、プレート支持部５６の左側の隙間５８に挿入して起動スイッチ５０の操作釦５０ａと保護カバー５４の間の隙間に容易に入れることができる。
【００５１】
このような起動操作治具６０ａの操作により、先端側の押圧レバー部６４ａが起動スイッチ５０の操作釦５０ａを押込み、起動スイッチ５０がオンして起動信号を制御盤側に送信させる。
【００５２】
また、図７に示したと同様に、悪戯による操作を防止するため、図８に示した起動操作治具６０ａの先端側の押圧レバー部６４ａの長さを、扉４０に形成した開口４４の右端から起動スイッチ５０の操作釦５０ａまでの長さより短くしている。
【００５３】
［起動操作治具の操作による点検検出信号の送信］
図１０は起動操作治具による起動スイッチの操作を検出する点検検出スイッチを設けた操作箱の実施形態を示した断面図である。
【００５４】
図１０に示すように、本実施形態の操作箱１２は、保護カバー５４を取付けたプレート支持部５６の左側の収納部４８の底面との間の隙間５８の内側に点検検出スイッチ７０を配置している。点検検出スイッチ７０は、隙間５８から起動操作治具６０の先端側の押圧レバー部６４を挿入した場合に、スイッチノブの押圧を受けてオン動作するように配置している。点検検出スイッチ７０がオンすると点検検出信号が制御盤に送信され、制御盤で点検に必要な動作状態が自動的に設定され、点検に伴い操作箱１２の起動スイッチ５０を起動操作治具６０でオン操作しても、消火ガスの放出を確実に防止可能とする。
【００５５】
（ガス系消火設備のシステム構成の概要）
図１１はガス系消火設備のシステム構成の概略を示したブロック図である。図１１に示すように、制御盤１０は防護施設に対応して回線ユニット７４を備えており、回線ユニット７４に対しては防護施設内の最大４つの防護区画に対応して２系統の火災感知器１１、操作箱１２、スピーカ１３及び起動装置１８を信号線接続している。ここで、操作箱１２は回線ユニット７４から引き出されたシリアル伝送路７２に接続している。なお、回線ユニット７４は、防護施設が複数ある場合は、防護施設に対応して複数設けられる。
【００５６】
回線ユニット７４に対しては、共通部として、操作部７６、表示部７８、移報部８０、スピーカ駆動部８２及びカウントダウン表示等に使用する７セグメント表示器８４を接続している。
【００５７】
（回線ユニットと操作箱の機能構成）
図１２は制御盤の回線ユニットと操作箱の機能構成を示したブロック図である。図１２に示すように、回線ユニット７４は、制御部８６を備え、制御部８６に対し防護区画側の機器を信号線接続するため、伝送部９４、２系統分の火災受信部９６、駆動部９８、スピーカ選択部１００を設けている。
【００５８】
スピーカ選択部１００には図１１に示したスピーカ駆動部８２からの信号線を入力接続し、制御部８６からの指示により放送信号をスピーカ１３に供給可能とする。また、制御部８６に対し制御盤１０の共通部となる図１１の操作部７６、表示部７８及び移報部８０と接続するため、操作入力部８８、表示出力部９０及び移報出力部９２を設けている。
【００５９】
制御部８６は、所定の起動条件の成立を検出した場合、所定時間のカウントダウン後に起動装置１８を動作して消火ガスを放出させる制御を行う。
【００６０】
また、制御部８６は、図１１の操作部７６の操作により点検を指示する点検信号を受信した場合、図１に示した起動装置１８のソレノイドの通電による開動作を禁止する点検モードを設定し、操作箱１２から起動信号を受信してカウントダウンを完了しても、起動装置１８の動作を禁止してガス放出を行わないように制御する。
【００６１】
（操作箱の機能構成）
図１２に示すように、操作箱１２は、制御部１０２を備え、制御部１０２に対し伝送部１０４、操作部１０６、検出部１０８、７セグメント表示器を含む表示部１１０を接続し、更に、図１０に示した起動操作治具６０の挿入によりオン動作する点検検出スイッチ７０を接続している。
【００６２】
伝送部１０４は回線ユニット７４の伝送部９４との間でシリアル伝送路７２を介して各種の情報をシリアル伝送により送受信する。操作部１０６には図２及び図３に示したキースイッチ３６、非常停止スイッチ３８、起動スイッチ５０を設けている。また、検出部１０８には図２及び図３に示した扉開検出スイッチ５５を設けている。更に、表示部１１０には図２及び図３に示した電源灯２４、火災灯２６、起動灯２８、放出灯３０、閉止弁閉表示灯３２、手動モード表示灯３６ａ、自動モード表示灯３６ｂを設けている。
【００６３】
制御部１０２は、プログラムの実行により実現される機能であり、ハードウェアとしてはＣＰＵ、メモリ、各種の入出力ポート等を備えたコンピュータ回路を使用する。
【００６４】
制御部１０２は、伝送部１０４を介して回線ユニット７４から表示制御信号を受信して表示部１１０の対応する表示灯を点灯する制御を行う。
【００６５】
また、制御部１０２は、操作部１０６の操作や検出部１０８の検出に基づく各種信号をて回線ユニット７４に送信する制御を行う、更に、制御部１０２は、起動操作治具６０の挿入により点検検出スイッチ７０のオンを検出した場合、点検検出信号を生成して回線ユニット７４に送信する制御を行い、制御部８６に起動装置１８の動作禁止を伴う点検モードの設定を行わせる。
【００６６】
［本発明の変形例］
（起動操作治具）
上記の実施形態による起動操作治具は一例であり、操作箱に設けた起動スイッチ５０の操作釦５０ａと保護カバー５４の間の隙間に挿入してオン操作可能な治具であれば、適宜の形状の治具を用いることができる。
【００６７】
（起動スイッチ）
上記の実施形態は、操作箱における表パネルの一部に扉を設けて、その内部にスイッチ保護プレート付きの起動スイッチを設けているが、表パネル全体を扉として、その内部にスイッチ保護プレート付きの起動スイッチを設けた構造の操作箱についても、同様に、起動操作治具によりスイッチ保護プレートを取り外すことなく、起動スイッチの操作を可能とする。
【００６８】
（その他）
また、本発明は上記の実施形態に限定されず、その目的と利点を損なうことのない適宜の変形を含み、更に上記の実施形態に示した数値による限定は受けない。
【符号の説明】
【００６９】
１０：制御盤
１１：火災感知器
１２：操作箱
１３：スピーカ
１４：噴射ヘッド
１５：放出表示灯
１６：消火ガス貯蔵容器
１７：選択弁
１８：起動装置
１９：ピストンレリーザ
２０：操作箱本体
２１：圧力スイッチ
２２：表パネル
２３：閉止弁
２４：電源灯
２６：火災灯
２８：起動灯
３０：放出灯
３２：閉止弁閉表示灯
３４：７セグメント表示器
３６：キースイッチ
３６ａ：手動モード表示灯
３６ｂ：自動モード表示灯
３８：非常停止灯
４０：扉
４２：ヒンジ
４４：開口
４５：防止シール
４６：電話ジャック
４８：収納部
５０：起動スイッチ
５０ａ：操作釦
５３：マグネットキャッチ
５４：保護カバー
５５：扉開検出スイッチ
５６：プレート支持部
５８：隙間
６０，６０ａ：起動操作治具
６２，６２ａ：操作レバー部
６４，６４ａ：押圧レバー部
６６ａ：中間レバー部
６８，６８ａ：通し穴
７０：点検検出スイッチ
【図１】
0006484516.tif 000002
【図２】
0006484516.tif 000003
【図３】
0006484516.tif 000004
【図４】
0006484516.tif 000005
【図５】
0006484516.tif 000006
【図６】
0006484516.tif 000007
【図７】
0006484516.tif 000008
【図８】
0006484516.tif 000009
【図９】
0006484516.tif 000010
【図１０】
0006484516.tif 000011
【図１１】
0006484516.tif 000012
【図１２】
0006484516.tif 000013